【事件の表示】
　特願２００２−２８８３９３「情報カードの利用システム」拒絶査定不服審判事件〔平成１６年　４月２２日出願公開、特開２００４−１２６０９６〕について、次のとおり審決する。
【結　論】
　本件審判の請求は、成り立たない。
【理　由】
１．手続の経緯
　本願は、平成１４年１０月１日の出願であって、平成２０年９月２２日付けで拒絶査定がなされ、これに対し、同年１０月３０日に拒絶査定に対する審判請求がなされたものである。
　
２．本願発明
　本願の請求項１に係る発明（以下、「本願発明」という。）は、平成１９年７月２５日付けの手続補正書の特許請求の範囲の請求項１に記載された事項により特定される、以下のとおりのものである。
　
「平面部に画像を形成可能とし、音声データを記録すると共に記録した前記音声データを非接触状態で読み出し可能に構成されたＩＣモジュールが埋設された情報カードと、
　デジタル画像データと該デジタル画像データに関連付けられた音声データを受け付ける音声及び画像情報入力処理部と、前記音声及び画像情報入力処理部が受け付けたデジタル画像データに基づいて前記情報カードのシート状平面部に画像を形成する画像形成部と、前記音声及び画像情報入力処理部が受け付けた音声データに基づいて前記情報カードのＩＣモジュールに音声
データを書き込む音声データ書き込み装置と、を有する画像形成装置と、
　検知エリア内において前記情報カードのＩＣモジュールに記録された音声データを非接触状態で読み出す音声データ読み取り装置と、前記音声データ読み取り装置が読み出した音声データに基づいてスピーカから音声を出力する音声再生部と、を有する音声再生装置と、
　を備えることを特徴とする情報カードの利用システム。」
　
３．引用例
　原審の拒絶理由に引用された特開２０００−５０２０２号公報（以下、
「引用例」という。）には、図面とともに以下の記載がなされている。
　
（１）「【特許請求の範囲】
【請求項１】  撮影画像がプリントされるプリント用紙と、
前記プリント用紙に埋設され、前記撮影画像に関係する音声データを少なくとも記録するメモリカードと、
を備えることを特徴するメモリ付き印刷媒体。
【請求項２】  前記プリント用紙には複数の撮影画像が形成され、前記メモリカードは前記撮影画像ごとに設けられることを特徴とする請求項１記載のメモリ付き印刷媒体。
【請求項３】  前記プリント用紙は、印画紙、またははがき、または昇華型プリント用紙、またはその他の撮影画像のプリントが可能な用紙であることを特徴とする請求項１記載のメモリ付き印刷媒体。
【請求項４】  前記メモリカードは、前記音声データを記録する記憶媒体を有し、前記記憶媒体への音声データの書き込み及び該記憶媒体からの音声
データの読み出しが外部から行われることを特徴とする請求項１記載のメモリ付き印刷媒体。
【請求項５】  前記メモリカードは、前記音声データを記録する記憶媒体
と、外部から送信されてくる前記音声データ及び該音声データの書き込み／読み出し指令データを受信するとともに前記記憶媒体から読み出される音声データを外部へ送信する送受信手段と、前記送受信手段で受信された音声
データを前記受信した書き込み指令データに基づき前記記憶媒体に対し書き込み処理を行うとともに前記受信した読み出し指令データに基づき前記記憶媒体から前記音声データの読み出し処理を行うデータ書き込み／読み出し処理手段を備えることを特徴とする請求項１記載のメモリ付き印刷媒体。
【請求項６】  前記メモリカードは、前記送受信手段に到来する搬送波を電力に変換して、前記記憶媒体、前記データ書き込み／読み出し処理手段その他のメモリカード構成部に供給する電源手段を更に備えることを特徴とする請求項４記載のメモリ付き印刷媒体。
【請求項７】  前記記録媒体は、ＥＥＰＲＯＭであることを特徴とする請求
項４または５記載のメモリ付き印刷媒体。
【請求項８】  撮影画像がプリントされるプリント用紙に埋設され前記撮影画像に関係する音声データを少なくとも記録するメモリカードを有するメモリ付き印刷媒体を備え、
前記メモリ付き印刷媒体がセットされるセット部を有し、前記セット部に
セットされた前記メモリ付き印刷媒体のメモリカードに音声データを書き込み、かつメモリカードの音声データを読み出す記録再生装置であって、
前記メモリカードへの音声データの書き込みモード及び前記メモリカードからの音声データの読み出しモードに設定するモード設定手段と、
マイクロフォンと、
前記モード設定手段による音声データの書き込みモード設定時に前記マイクロフォンによりピックアップされた音声信号をデジタル信号に変換するＡ−Ｄ変換手段と、
前記Ａ−Ｄ変換手段でデジタル信号に変換された音声データを前記メモリ
カードに書き込み処理させるとともに前記モード設定手段による音声データの読み出しモード設定時は前記メモリカードの音声データを読み出し処理するデータ処理制御手段と、
前記モード設定手段による音声データの読み出しモード設定時に前記メモリカードから前記データ処理制御手段により読み出した音声データをアナログ信号に変換するＤ−Ａ変換手段と、
前記Ｄ−Ａ変換手段から出力されるアナログ信号を音声に変換して出力するスピーカと、
を備えることを特徴とするメモリ付き印刷媒体の記録再生装置。
【請求項９】  前記データ処理制御手段から送出される音声データを前記メモリ付き印刷媒体のメモリカードに対して送信し、かつ該メモリカードから読み出された音声データを受信する送受信手段を更に備えることを特徴とする請求項８記載のメモリ付き印刷媒体の記録再生装置。」
　
（２）「【０００２】
【従来の技術】近年、デジタルカメラ等のカメラで撮影した画像を印画紙、はがき、昇華型プリント用紙等の印刷媒体に自動的にプリントできる写真技術が開発され、これに伴い、簡単な誰にでも操作できる写真スタンドと称する写真撮影設備が市街地に多数出現してきている。従来、この種の写真スタンドにおいて、プリントアウト用の印刷媒体には、写真用の印画紙あるいは昇華型プリント用紙等が使用されるのが普通である。」
　
（３）「【０００９】図１において、メモリ付き印刷媒体１０は、顔写真などの撮影画像がプリントされるプリント用紙１０１と、このプリント用紙１０１にプリントされる複数の撮影画像１０２ごとに埋設された複数の非接触型メモリカード２０を備える。プリント用紙１０１は、印画紙、はがき、昇華型プリント用紙、またはその他の撮影画像のプリントが可能な用紙から構成されている。また、メモリカード２０には、プリントされた撮影画像１０２に関係するメッセージなどの音声データが少なくとも記録される。
【００１０】メモリカード２０は、音声データを記録するＥＥＰＲＯＭからなる記憶媒体２１と、後述する記録再生装置３０から送信されてくる音声
データ及び該音声データの書き込み／読み出し指令データを受信するとともに記憶媒体２１から読み出される音声データを後述する記録再生装置３０へ送信する送受信手段２２と、この送受信手段２２で受信された音声データを前記受信した書き込み指令データに基づき記憶媒体２１に対し書き込み処理を行うとともに前記受信した読み出し指令データに基づき記憶媒体２１から音声データの読み出し処理を行うデータ書き込み／読み出し処理手段２３を備える。さらに、メモリカード２０は、送受信手段２２に到来する搬送波を電力に変換して、記憶媒体２１、データ書き込み／読み出し処理手段２３、その他のメモリカード２０の各構成部に供給する電源回路２５を備える。」
　
（４）「【００１３】次に、メモリ付き印刷媒体１０の記録再生装置３０の構成について、図３及び図４を参照して説明する。図３において、記録再生装置３０は、スタンド本体３０１を有し、このスタンド本体３０１の上面に設けた操作パネル３０２には、メモリ付き印刷媒体１０を載置する媒体セット部３０３、記録再生装置３０をメモリ付き印刷媒体１０のメモリカード２０への音声データの書き込みモードに設定する記録釦３１、記録再生装置３０をメモリカード２０からの音声データの読み出しモードに設定する再生釦３２、音声をピックアップするマイクロフォン３３、及びメモリカード２０から読み出された音声データを音声に変えて発声させるスピーカ３４等がそれぞれ配設されている。また、スタンド本体３０１の内部には記録再生装置３０を構成する各要素が収容されている。なお、上記記録釦３１と再生釦３２は書き込み／読み出しのモード設定手段を構成する。」
　
（５）「【００１７】次に、上記のように構成されたメモリ付き印刷媒体への撮影画像のプリント及び音声の記録再生動作について説明する。まず、備え付けの写真スタンドなどにおいて、利用者の顔などを撮影し、その撮影画像１０２を、メモリ付き印刷媒体１０を構成するプリント用紙１０１の所定の領域にプリントする。次いで、撮影画像１０２をプリントしたメモリ付き印刷媒体１０をスタンド本体３０１の操作パネル３０２上の媒体セット部３０３に載置する。この状態では、メモリ付き印刷媒体１０に埋設されているメモリカード２０はスタンド本体３０１内に収容された記録再生装置３０のアンテナ３９と相対向し、記録再生装置３０の送受信手段３８とメモリ付き印刷媒体１０の送受信手段２２間の無線による信号の授受が可能になる。
【００１８】かかる状態において、メモリカード２０に撮影画像１０２と関係するメッセージ等の音声を記録する場合は、操作パネル３０２上の記録釦３１を操作して記録再生装置３０を音声データ書き込みモードに設定する。その後、プリント用紙１０１にプリントされた撮影画像１０２に関係する
メッセージ等を利用者がマイクロフォン３３に向けて音声で発する。この音声はマイクロフォン３３によりピックアップされ電気信号に変換される。そして、この音声信号はＡ−Ｄ変換手段３５によりデジタル信号に変換され、データ処理制御手段３６のＣＰＵ３６１に取り込まれ、音声データとしてＲＡＭ３６３に一時記憶される。ＣＰＵ３６１では、ＲＡＭ３６３に一時記憶された音声データをＲＡＭ３６３から読み出し、書き込み指令データとともに通信制御回路３６２を通して変調回路３８２Ｂに送出する。この変調回路３８２Ｂでは、通信制御回路３６２から送出される音声データ及び書き込み指令データを所定の搬送波周波数の信号に変調し、増幅回路３８２Ｂにより電力増幅した後、アンテナ３９からメモリ付き印刷媒体１０に向け送信す
る。
【００１９】メモリ付き印刷媒体１０では、アンテナ２４に到来する電波を受信部２２１で受信する。すなわち、同調回路２２１Ａは、アンテナ２４に到来する信号のうち、所定の搬送波周波数に同調する信号を抽出する。この抽出された信号は増幅回路２２１Ｂで増幅された後、復調回路２２１Ｃに供給される。復調回路２２１Ｃでは、増幅回路２２１Ｂで増幅されたアナログ信号から音声データ及び書き込み指令データを復調してデータ書き込み／読み出し処理手段２３に送出する。データ書き込み／読み出し処理手段２３では、復調された音声データ及び書き込み指令データを通信制御回路２３２を通してＣＰＵ２３１に取り込み、書き込み指令データによるＣＰＵ２３１のデータ書き込み処理動作により音声データを記録媒体２１に書き込む。
【００２０】次に、メモリ付き印刷媒体１０のメモリカード２０に書き込まれている音声データを再生する場合について説明する。この場合は、まず、メモリ付き印刷媒体１０をスタンド本体３０１の操作パネル３０２上の媒体セット部３０３に載置する。その後、操作パネル３０２上の再生釦３２を操作して記録再生装置３０を音声データ読み出しモードに設定する。再生釦３２を操作することによる信号がＣＰＵ３６１に取り込まれると、ＣＰＵ３６１からは読み出し指令データが送出され、この読み出し指令データは通信制御回路３６２を通して変調回路３８２Ｂに送出される。この変調回路３８２Ｂでは、通信制御回路３６２から送出される読み出し指令データを所定の搬送波周波数の信号に変調し、増幅回路３８２Ｂにより電力増幅した後、アンテナ３９からメモリ付き印刷媒体１０に向け送信する。
【００２１】メモリ付き印刷媒体１０では、アンテナ２４に到来する電波を受信部２２１で受信する。すなわち、同調回路２２１Ａは、アンテナ２４に到来する信号のうち、所定の搬送波周波数に同調する信号を抽出する。この抽出された信号は増幅回路２２１Ｂで増幅された後、復調回路２２１Ｃに供給される。復調回路２２１Ｃでは、増幅回路２２１Ｂで増幅されたアナログ信号から読み出し指令データを復調してデータ書き込み／読み出し処理手段２３に送出する。データ書き込み／読み出し処理手段２３では、復調された読み出し指令データを通信制御回路２３２を通してＣＰＵ２３１に取り込
み、書き込み指令データによりＣＰＵ２３１を動作させて、記録媒体２１に記憶されている音声データを読み出す。この音声データは、ＣＰＵ２３１から通信制御回路２３２を通して変調回路２２２Ａに送出する。この変調回路２２２Ａでは、通信制御回路２３２から送出される音声データを所定の搬送波周波数の信号に変調し、増幅回路２２２Ｂにより電力増幅した後、アンテナ２４から記録再生装置３０に向け送信する。
【００２２】記録再生装置３０では、アンテナ３９に到来する電波を受信部３８１で受信する。すなわち、同調回路３８１Ａは、アンテナ３９に到来する電波のうち、所定の搬送波周波数に同調する信号を抽出し、この抽出された信号を増幅回路３８１Ｂで増幅した後、復調回路３８１Ｃに供給する。復調回路３８１Ｃでは、増幅回路３８１Ｂで増幅されたアナログ信号から音声データを復調してデータ処理制御手段３６に送出する。データ処理制御手段３６では、復調された音声データを通信制御回路３６２を通してＣＰＵ３６１に取り込み、Ｄ−Ａ変換手段３７に送出する。Ｄ−Ａ変換手段３７では、音声データをアナログ信号に変換した後、このアナログ信号をスピーカ３４に出力し、このスピーカ３４を鳴動することにより、プリント用紙１０１にプリントされた撮影画像１０２に関係するメッセージ等を音声で再生することができる。」
　
　したがって、引用例には次の発明（以下、「引用発明」という。）が記載されているといえる。
　
「印画紙、またははがき、または昇華型プリント用紙、またはその他の撮影画像のプリントが可能な用紙であるプリント用紙と、前記プリント用紙に埋設され、前記撮影画像に関係する音声データを記録するＥＥＰＲＯＭである記憶媒体と、外部から無線により送信されてくる前記音声データ及び該音声データの書き込み／読み出し指令データを受信するとともに前記記憶媒体から読み出される音声データを外部へ無線により送信する送受信手段と、前記送受信手段で受信された音声データを前記受信した書き込み指令データに基づき前記記憶媒体に対し書き込み処理を行うとともに前記受信した読み出し指令データに基づき前記記憶媒体から前記音声データの読み出し処理を行うデータ書き込み／読み出し処理手段を備えるメモリカードを有するメモリ付き印刷媒体を備え、
　写真スタンドにおいて、利用者の顔などを撮影し、その撮影画像がプリント用紙の所定の領域にプリントされたメモリ付き印刷媒体が載置されるスタンド本体の操作パネル上のセット部を有し、
　マイクロフォンと、
  前記マイクロフォンによりピックアップされた音声信号をデジタル信号に変換するＡ−Ｄ変換手段と、
　前記Ａ−Ｄ変換手段でデジタル信号に変換された音声データを前記メモリカードに書き込み処理させるとともに、前記メモリカードの音声データを読み出し処理するデータ処理制御手段と、
　前記データ処理制御手段から送出される音声データを前記メモリ付き印刷媒体のメモリカードに対して送信し、かつ該メモリカードから読み出された音声データを受信する無線送受信手段と、
　メモリカードから前記データ処理制御手段により読み出した音声データをアナログ信号に変換するＤ−Ａ変換手段と、
　前記Ｄ−Ａ変換手段から出力されるアナログ信号を音声に変換して出力するスピーカと、
  を備えることを特徴とするメモリ付き印刷媒体の記録再生装置。」
　
４．対比
　引用発明の「メモリ付き印刷媒体」は、印画紙、またははがき、または昇華型プリント用紙、またはその他の撮影画像のプリントが可能な用紙であるプリント用紙を備えたものであるから、本願発明の「情報カード」と同じように、平面部に画像を形成可能としたものである。
　引用発明の「メモリカード」は、音声データを記録するＥＥＰＲＯＭである記憶媒体と、外部から無線により送信されてくる前記音声データ及び該音声データの書き込み／読み出し指令データを受信するとともに前記記憶媒体から読み出される音声データを外部へ無線により送信する送受信手段とを備えたものであるから、本願発明の「ＩＣモジュール」に対応する。
　引用発明の「メモリ付き印刷媒体」も、本願発明の「情報カード」も、情報記録媒体といえるものであるから、両者は、「平面部に画像を形成可能とし、音声データを記録すると共に記録した前記音声データを非接触状態で読み出し可能に構成されたＩＣモジュールが埋設された情報記録媒体」といえる点で共通する。
　引用発明の「写真スタンド」は、利用者の顔などを撮影し、その撮影画像がプリント用紙の所定の領域にプリントされたメモリ付き印刷媒体が得られるものであるから、画像を受け付ける機能、受け付けた画像をメモリ付き印刷媒体のプリント用紙の所定の領域にプリントする機能を有するものであるから、本願発明の「画像形成装置」と、画像を受け付ける機能、受け付けた画像を情報記録媒体のシート状平面部に画像を形成する機能を有する点で共通する。
　引用発明の「記録再生装置」は、マイクロフォンと、前記マイクロフォンによりピックアップされた音声信号をデジタル信号に変換するＡ−Ｄ変換手段と、前記Ａ−Ｄ変換手段でデジタル信号に変換された音声データを前記メモリカードに書き込み処理させるデータ処理制御手段とを備えており、メモリカードは撮影画像に関係する音声データを記録するものであるから、本願発明の「画像形成装置」と、画像に関係する音声を受け付ける機能、受け付けた音声を情報記録媒体のＩＣモジュールに書き込む機能を有する点で共通する。
　引用発明の「記録再生装置」は、「スタンド本体」を有するものであり、「写真スタンド」において、撮影画像がプリント用紙の所定の領域にプリントされたメモリ付き印刷媒体が得られ、そのメモリ付き印刷媒体が、上記
（５）に記載されているように「【００１７】……プリントする。次いで、撮影画像１０２をプリントしたメモリ付き印刷媒体１０をスタンド本体３０１の操作パネル３０２上の媒体セット部３０３に載置する。」とされるものであるから、撮影画像がプリントされる「写真スタンド」とは別のところに「スタンド本体」が設けられていると非常に不便であり、「スタンド本体」は「写真スタンド」に設けられたものと解釈するのが自然であり、引用発明の「写真スタンド」は、上記（２）の「簡単な誰にでも操作できる写真スタンドと称する写真撮影設備」と同様のものであり、引用発明の「スタンド本体」も「記録再生装置」の機能だけでなく、写真スタンド本来の、利用者の顔などを撮影し、その撮影画像をプリント用紙の所定の領域にプリントする機能も備えているものと解することが適当であり、「スタンド本体」という名称も、そのことを示すものといえる。
　したがって、「写真スタンド」は「スタンド本体」を有する１つの装置といえるものであり、本願発明の「画像形成装置」とは、画像を受け付ける機能、受け付けた画像を情報記録媒体のシート状平面部に画像を形成する機
能、画像に関係する音声を受け付ける機能、及び受け付けた音声を情報記録媒体のＩＣモジュールに書き込む機能を有する点で共通する。
　引用発明の「記録再生装置」は、メモリ付き印刷媒体のメモリカードの音声データを読み出し処理するデータ処理制御手段と、メモリカードから読み出された音声データを受信する無線送受信手段と、メモリカードから前記
データ処理制御手段により読み出した音声データをアナログ信号に変換するＤ−Ａ変換手段と、前記Ｄ−Ａ変換手段から出力されるアナログ信号を音声に変換して出力するスピーカと、を備えているから、本願発明の「音声再生装置」と、情報記録媒体のＩＣモジュールに記録された音声データを非接触状態で読み出す機能、及び前記読み出した音声データに基づいてスピーカから音声を出力する機能を有する点で共通する。
　また、引用発明は、「メモリ付き印刷媒体」と「写真スタンド」からなるシステムとみることもできるから、本願発明と引用発明とを対比すると、次の点で一致する。
　
「平面部に画像を形成可能とし、音声データを記録すると共に記録した前記音声データを非接触状態で読み出し可能に構成されたＩＣモジュールが埋設された情報記録媒体と、
　画像を受け付ける画像情報入力処理部と、該画像に関連付けられた音声を受け付ける音声情報入力処理部と、前記画像情報入力処理部が受け付けた画像に基づいて前記情報記録媒体のシート状平面部に画像を形成する画像形成部と、前記音声情報入力処理部が受け付けた音声に基づいて前記情報記録媒体のＩＣモジュールに音声データを書き込む音声データ書き込み装置と、を有する画像形成装置と、
　前記情報記録媒体のＩＣモジュールに記録された音声データを非接触状態で読み出す音声データ読み取り装置と、前記音声データ読み取り装置が読み出した音声データに基づいてスピーカから音声を出力する音声再生部と、を有する音声再生装置と、
　を備えることを特徴とする情報記録媒体の利用システム。」
　
　また次の点で相違する。
　
　相違点１
　「情報記録媒体」が、本願発明では「情報カード」であるのに対して、引用発明ではカードとする限定がない点。
　
　相違点２
　「画像情報入力処理部」及び「音声情報入力処理部」が本願発明では、
「デジタル画像データと該デジタル画像データに関連付けられた音声データを受け付ける音声及び画像情報入力処理部」であるのに対して、引用発明では画像と音声は別々に受け付けられ、デジタルデータとの限定もない点。
　
　相違点３
　「音声データ読み取り装置」が本願発明では、「検知エリア内において前記情報カードのＩＣモジュールに記録された音声データを非接触状態で読み出す音声データ読み取り装置」であるのに対して、引用発明では「検知エリア内において」とする限定がない点。
　
５．相違点に対する判断
　相違点１
　引用発明の「メモリ付き印刷媒体」は、「印画紙、またははがき、または昇華型プリント用紙、またはその他の撮影画像のプリントが可能な用紙であるプリント用紙」を有するものであり、はがきはポストカードということから、引用発明の「メモリ付き印刷媒体」はカードを含むといえる。
　また、カードに画像を形成することは普通に行われることであるから、仮にはがきがカードといえないとしても、引用発明の「メモリ付き印刷媒体」の「プリント用紙」をカードとすることは当業者が容易になしえることである。
　
　相違点２
　画像とその画像に関連付けられた音声を別々に受け付けるか、一体として受け付けるかは、設計事項といえる程度のことであり、デジタルデータとすることも格別のことではない。
　例えば、本願の明細書において従来の技術として示された特開平７−１８１６０６号公報には以下の記載がなされている。
「【請求項２】　画像情報を得るための撮像手段と、オーディオ情報の入力手段と、前記画像情報とオーディオ情報とを第１の記録媒体に記録する電子スチルカメラと、
　前記第１の記録媒体に記録された画像情報を、または、前記撮像手段からの画像情報を可視化情報として第２の記録媒体に形成する画像形成手段と、
　前記第１の記録媒体に記録された前記オーディオ情報、または、前記入力手段からのオーディオ情報を光学的に読み取り可能なコードに変換する変換手段と、
　この変換手段にて変換された光学的に読み取り可能なコードを前記第２の記録媒体の画像情報非形成領域に印刷記録する記録手段と、
　を具備することを特徴とするオーディオ情報記録再生システム。」
　上記「第１の記録媒体」は、本願発明の実施の形態の「記録メディア（ＩＣメモリ）２４」に対応する。
　したがって、引用発明で、画像とその画像に関連付けられた音声を別々に受け付けている点を、本願発明のように「デジタル画像データと該デジタル画像データに関連付けられた音声データを受け付ける音声及び画像情報入力処理部」とすることに困難な点はない。
　
　相違点３
　データを非接触状態で読み出し可能に構成されたＩＣモジュールが検知エリア内に位置すると、自動的にデータの読み出しを行うことは、データを非接触状態で読み出し可能に構成されたＩＣモジュールを用いる場合に普通に行われることである。
　例えば、原審の拒絶理由に引用された特開２０００−７６３９９号公報には、非接触ＩＣメディア及びそれを応用したシステムについて以下の記載がなされている。
「【００７３】……また、相手の電子名刺に携帯電話無線機１１０をかざすだけで、その電子名刺へのデータの読み書きを行えるようにし、利便性が高めることも可能である。」
　なお、本願発明を特定する事項である「音声再生装置」の特許請求の範囲の請求項１の記載は、
「検知エリア内において前記情報カードのＩＣモジュールに記録された音声データを非接触状態で読み出す音声データ読み取り装置と、前記音声データ読み取り装置が読み出した音声データに基づいてスピーカから音声を出力する音声再生部と、を有する音声再生装置と、」
であり、「検知エリア内において」というだけでは、検知エリア外では読み出しができず、検知エリア内で読み出しができるようになるという程度のことしか解釈できず、審判の請求の理由に
「Ｃ．本願発明と引用文献との対比
（１）……
　これに対して本願発明の音声再生装置は、検知エリア内において情報カードのＩＣモジュールに記録された音声データを読み出す音声データ読み取り装置を備えるため、情報カードを検知エリア内に入れるだけで、ＩＣモ
ジュールに記録された音声データを読み出し、音声再生部から音声を出力することができる。この構成を採用することにより、本願発明は、情報カードを音声再生装置にかざすように接近させるだけ、音声データを再生することはでき、使用者は、情報カードを利用して普通に写真をみるように手にとって画像を鑑賞しながら、情報カードに記憶されている音声を同時に聞くことができる。」
と記載されているようなものと解釈することは困難である。
　
　上記のように、引用発明において、各相違点を本願発明のようにすることに困難な点はない。
　
６．むすび
　以上のとおり、本願発明は、引用発明に基づいて、当業者が容易に発明をすることができたものであるから、特許法第２９条第２項の規定により特許を受けることができない。
　よって、結論のとおり審決する。